(57)【特許請求の範囲】
【請求項１】
液晶表示装置の駆動装置であって、
複数のゲートライン及びデータラインを備えた液晶パネルと、
入力された映像データの隣接画素間階調差を分析し、該階調差が基準値以上である場合には、該階調差が増加された変調データを生成して出力するデータ変換部と、
該変調データを整列して該変調データを供給し、ゲート制御信号を供給するタイミングコントローラと、
該ゲート制御信号に基づく該液晶パネルの該複数のゲートラインにスキャンパルスを供給するゲートドライバと、
該液晶パネルの該複数のデータラインに該変調データを供給するデータドライバと、を含み、
該データ変換部は、
該入力された映像データから輝度及び色差データを分離する輝度／色差分離部と、
該輝度／色差分離部から分離された色差データを遅延させる遅延部と、
輝度／色差分離部から受信した、現在入力された水平ラインに隣接する水平ラインに対応する先に入力されたデータの間の少なくとも１つの画素の第１輝度データと水平ラインに対応する現在入力されたデータの間の少なくとも１つの画素の第２輝度データとによる階調差が基準値以上である場合には、該第１輝度データ及び第２輝度データによる階調差を増加させた変調輝度データを出力する階調変換部と、
該遅延された色差データと該変調輝度データをミキシングして変調映像データを該タイミングコントローラに出力するミキシング部と、を含み、
該輝度／色差分離部は、外部から入力された該映像データから輝度データ及び色差データを分離し、輝度データ及び色差データは、式
Y＝0.229×R＋0.587×G＋0.114×B  （１）
U＝0.493×(B−Y)  （２）
V＝0.887×(R−Y)  （３）
によって取得され、
該ミキシング部は、該変調された第１輝度データと該変調された第２輝度データと該遅延された色差データとを使用して、該変調映像データを生成し、該変調映像データは、式
MR＝Y’＋0.000×DU＋1.140×DV  （４）
MG＝Y’−0.396×DU−0.581×DV  （５）
MB＝Y’＋2.029×DU＋0.000×DV   （６）
によって取得され、
該階調変換部は、
該輝度／色差分離部から分離された輝度データを遅延させて該第１輝度データを出力する輝度遅延部と、
該輝度遅延部から出力される第１輝度データと第２輝度データとによる階調差と基準値とを比較し、その結果に基づく第１論理状態又は第２論理状態の第１選択信号を出力する第１比較部と、
該第１比較部の第１論理状態又は第２論理状態の第１選択信号によって、該第１輝度データ及び第２輝度データの出力位置を選択する第１選択部及び第２選択部と、
該第１選択部と該第２選択部から出力された第１輝度データと第２輝度データの階調大きさを互いに比較し、その結果に基づく第１論理状態又は第２論理状態の第２選択信号を出力する第２比較部と、
該第２選択信号によって該第１輝度データ及び第２輝度データにオフセットを加減算して出力する加減算部とを含み、
出力位置を選択する該第１選択部及び第２選択部は、該ミキシング部又は該第２比較部であり、
該第１比較部は、該第１輝度データ及び第２輝度データ間の階調差が該基準値よりも小さい場合には、第１論理状態の第１選択信号を該第１選択部に出力し、該第１輝度データ及び第２輝度データ間の階調差が該基準値よりも大きい場合には、第２論理状態の第１選択信号を該第１選択部及び該第２選択部に出力し、
該第１選択部は、該第１論理状態の第１選択信号に従って、該輝度／色差分離部から該ミキシング部に該第１輝度データを送信し、該第２論理状態の第１選択信号に従って、該輝度／色差分離部から該第２比較部に該第１輝度データを送信し、
該第２選択部は、該第１論理状態の第１選択信号に従って、該輝度遅延部から該ミキシング部に該第２輝度データを送信し、該第２論理状態の第１選択信号に従って、該輝度遅延部から該第２比較部に該第２輝度データを送信し、
該第２比較部は、該第１輝度データの階調大きさが、該第２輝度データの階調大きさよりも大きいと判定した場合に、該第１論理状態の第２選択信号を該加減算部に送信し、該第１輝度データの階調大きさが、該第２輝度データの階調大きさよりも小さいと判定した場合に、該第２論理状態の第２選択信号を加減算部に送信し、
該加減算部は、該第１論理状態の第２選択信号に従って、該第１輝度データの階調大きさに該オフセットを加算し、該第１論理状態の第２選択信号に従って、該第２輝度データの階調大きさから該オフセットを減算し、該第２論理状態の第２選択信号に従って、該第１輝度データの階調大きさから該オフセットを減算し、該第２論理状態の第２選択信号に従って、該第２輝度データの階調大きさに該オフセットを加算し、
該ミキシング部は、変換された第１輝度データ及び第２輝度データと該遅延された色差データとを使用して該変調データを生成することを特徴とする液晶表示装置の駆動装置。
【請求項２】
液晶表示装置の駆動方法であって、
外部から入力された映像データから輝度及び色差データを分離する段階と、
該色差データを遅延させる段階と、
現在入力された水平ラインに隣接する水平ラインに対応する先に入力されたデータの間の少なくとも１つの画素の第１輝度データ及び水平ラインに対応する現在入力されたデータの間の少なくとも１つの画素の第２輝度データによる階調差が基準値よりも大きい場合には、該第１及び第２輝度データによる階調差が増加された変調輝度データを生成する段階と、
該色差データと該変調輝度データをミキシングして、変調映像データを生成する段階と、を含み、
該変調輝度データを生成する段階は、
現在入力された第１輝度データを遅延させる段階と、
該第１輝度データと該第２輝度データとの間の階調差と基準値とを比較する段階と、
該第１輝度データと該第２輝度データとの間の階調差と基準値との比較結果に従って、第１論理状態又は第２論理状態の第１選択信号を生成する段階と、
該第１輝度データと該第２輝度データとを出力して、該第１輝度データ及び第２輝度データの出力位置を選択する段階と、
該第２論理状態の該第１選択信号に従って、該第１輝度データと該第２輝度データの階調の大きさを互いに比較する段階と、
該第１輝度データと該第２輝度データの階調の大きさに従って、第１論理状態又は第２論理状態の第２選択信号を生成する段階と、
該第１輝度データと該第２輝度データとによる階調差が基準値以上である場合には、第２選択信号に従って該第１輝度データ及び該第２輝度データにオフセットを加減算して輝度データを変調する段階と、
変調輝度データを出力する段階と、を含み、
該映像データから輝度及び色差データを分離する段階は、外部から入力された該映像データから輝度データ及び色差データを分離し、輝度データ及び色差データは、式
Y＝0.229×R＋0.587×G＋0.114×B  （１）
U＝0.493×(B−Y)   （２）
V＝0.887×(R−Y)   （３）
によって取得され、
該色差データと該変調輝度データをミキシングして変調映像データを生成する段階は、該変調された第１輝度データと該変調された第２輝度データと該遅延された色差データとを使用して、該変調映像データを生成し、該変調映像データは、式
MR＝Y’＋0.000×DU＋1.140×DV  （４）
MG＝Y’−0.396×DU−0.581×DV  （５）
MB＝Y’＋2.029×DU＋0.000×DV   （６）
によって取得され、
該該第１輝度データと該第２輝度データとの間の階調差と基準値とを比較する段階において、該第１輝度データ及び第２輝度データ間の階調差が該基準値よりも小さい場合には、第１論理状態の第１選択信号を第１選択部及び第２選択部に出力し、該第１輝度データ及び第２輝度データ間の階調差が該基準値よりも大きい場合には、第２論理状態の第１選択信号を該第１選択部及び該第２選択部に出力し、
該第１論理状態又は第２論理状態の第１選択信号を生成する段階において、該第１論理状態の第１選択信号に従って、輝度／色差分離部からミキシング部に該第１輝度データを送信し、該第２論理状態の第１選択信号に従って、該輝度／色差分離部から第２比較部に該第１輝度データを送信し、
該第１論理状態又は第２論理状態の第２選択信号を生成する段階において、該第１論理状態の第１選択信号に従って、輝度遅延部から該ミキシング部に該第２輝度データを送信し、該第２論理状態の第１選択信号に従って、該輝度遅延部から該第２比較部に該第２輝度データを送信し、
該第１輝度データと該第２輝度データの階調の大きさを互いに比較する段階において、該第１輝度データの階調大きさが、該第２輝度データの階調大きさよりも大きいと判定した場合に、該第１論理状態の第２選択信号を加減算部に送信し、該第１輝度データの階調大きさが、該第２輝度データの階調大きさよりも小さいと判定した場合に、該第２論理状態の第２選択信号を該加減算部に送信し、
該第１輝度データ及び該第２輝度データにオフセットを加減算して輝度データを変調する段階において、該第１論理状態の第２選択信号に従って、該第１輝度データの階調大きさに該オフセットを加算し、該第１論理状態の第２選択信号に従って、該第２輝度データの階調大きさから該オフセットを減算し、該第２論理状態の第２選択信号に従って、該第１輝度データの階調大きさから該オフセットを減算し、該第２論理状態の第２選択信号に従って、該第２輝度データの階調大きさに該オフセットを加算し、
該該色差データと該変調輝度データをミキシングして、変調映像データを生成する段階は、変換された第１輝度データ及び第２輝度データと該遅延された色差データとを使用して該変調データを生成する段階を含むことを特徴とする液晶表示装置の駆動方法。
【発明の詳細な説明】
【技術分野】
【０００１】
本発明は、液晶表示装置に係り、特に、映像データの隣接画素間階調差を用いて映像の鮮明度を向上させることができる液晶表示装置及びその駆動方法に関する。
【背景技術】
【０００２】
近来、陰極線管の短所とされる重さと体積を低減できる各種の平板表示装置が台頭してきている。かかる平板表示装置には、液晶表示装置（LCD）、電界放出表示装置（FED）、プラズマ表示パネル（PDP）及び発光表示装置（LED）などがある。
【０００３】
なかでも、液晶表示装置は、複数のデータラインと複数のゲートラインによって定義される画素領域に複数の画素電極が配置され、各画素電極にスイッチ素子である薄膜トランジスタ（以下、「ＴＦＴ」という。）が形成されたＴＦＴ基板と、カラーフィルタが形成されたカラーフィルタ基板とが、一定の間隔を保って合着され、これら量基板間に液晶層が備えられる。
【０００４】
図１は、従来の液晶表示装置の駆動装置を示す構成図である。
図１に示すように、液晶表示装置の駆動装置は、画素領域を定義するために互いに交差配列されるｎ本のゲートラインＧＬ１〜ＧＬｎと、ｍ本のデータラインＤＬ１〜ＤＬｍを備えた液晶パネル１０と、データラインＤＬ１〜ＤＬｍにアナログ映像信号を供給するためのデータドライバ２０と、ゲートラインＧＬ１〜ＧＬｎにスキャンパルスを供給するためのゲートドライバ３０と、外部から入力される映像データＲＧＢを整列してデータドライバ２０に供給し、データ制御信号ＤＣＳを生成してデータドライバ２０を制御すると同時に、ゲート制御信号ＧＣＳを生成してゲートドライバ３０を制御するタイミングコントローラ４０と、を備える。
【０００５】
液晶パネル１０は、相対向して合着されたトランジスタアレイ基板及びカラーフィルタアレイ基板と、これら両アレイ基板間でセルギャップを一定に維持させるためのスペーサと、このスペーサによって形成された液晶空間に埋め込まれた液晶と、を備える。
【０００６】
液晶パネル１０は、ｎ本のゲートラインＧＬ１〜ＧＬｎとｍ本のデータラインＤＬ１〜ＤＬｍがそれぞれ交差する画素領域に形成されたＴＦＴと、このＴＦＴに接続する画素電極とを備える。このＴＦＴは、ゲートラインＧＬ１〜ＧＬｎからのスキャンパルスに応答して、データラインＤＬ１〜ＤＬｍからのデータ信号を画素電極に供給する。この画素電極は、液晶を間において共通電極と対面して液晶キャパシタＣｌｃを形成し、以前のゲートラインＧＬ１〜ＧＬｎにオーバーラップして貯蔵キャパシタＣｓｔを形成する。液晶キャパシタＣｌｃ及び貯蔵キャパシタＣｓｔは、画素電極に印加されたデータ信号を、次のデータ信号が印加されるまで維持させる役割を担う。
【０００７】
タイミングコントローラ４０は、外部から入力されるソースデータＲＧＢを、液晶パネル１０の駆動に合うように整列してデータドライバ２０に供給する。また、タイミングコントローラ４０は、外部から入力されるメインクロックＭＣＬＫ、データインイネーブル信号ＤＥ、水平及び垂直同期信号Ｈｓｙｎｃ、Ｖｓｙｎｃを用いてデータ制御信号ＤＣＳとゲート制御信号ＧＣＳを生成し、データドライバ２０とゲートドライバ３０のそれぞれの駆動タイミングを制御する。
【０００８】
ゲートドライバ３０は、タイミングコントローラ４０からのゲート制御信号ＧＣＳのうち、ゲートスタートパルスＧＳＰとゲートシフトクロックＧＳＣに応答してスキャンパルス、すなわち、ゲートハイパルスを順次に発生するシフトレジスタを備える。このように構成されるゲートドライバ３０は、ゲートハイパルスを液晶パネル１０のゲートラインＧＬ１〜ＧＬｎに順次に供給し、ゲートラインＧＬ１〜ＧＬｎに接続された複数のＴＦＴをターンオンさせる。
【０００９】
データドライバ２０は、タイミングコントローラ４０から供給されるデータ制御信号ＤＣＳによって、タイミングコントローラ４０からの整列されたデータ信号Ｄａｔａをアナログ映像信号に変換し、当該スキャンパルスに同期してゲートラインＧＬ１〜ＧＬｎにスキャンパルスが供給される１水平周期ごとに１水平ライン分のアナログ映像信号をデータラインＤＬ１〜ＤＬｍに供給する。
【発明の開示】
【発明が解決しようとする課題】
【００１０】
しかしながら、従来の液晶表示装置の駆動方法では、外部から入力されるソースデータＲＧＢを別途の加工なしにデータドライバ２０を介して各データラインＤＬ１〜ＤＬｍに供給しているため、細密に表現すべき写真映像や動画像の文字が現れる部分を表示するに際して鮮明度が落ちるという問題点があった。
本発明は上記の問題点を解決するためのもので、その目的は、入力された映像データの隣接画素間階調差を用いて映像の鮮明度を向上させることができる液晶表示装置の駆動装置及びその駆動方法を提供することにある。
【課題を解決するための手段】
【００１１】
上記目的を達成するための本発明の一実施例に係る液晶表示装置の駆動装置は、複数のゲートライン及びデータラインを備えた液晶パネルと、前記液晶パネルの前記複数のゲートラインにスキャンパルスを供給するゲートドライバと、前記液晶パネルの前記複数のデータラインに映像信号を供給するデータドライバと、入力された映像データの隣接画素間階調差を分析し、前記階調差が基準値以上である場合には、前記階調差が増加された変調データを生成して出力するデータ変換部と、前記変調データを整列して前記データドライバに供給し、ゲート制御信号を前記ゲートドライバに供給するタイミングコントローラと、を備えて構成されることを特徴とする。
本発明の一実施例による液晶表示装置の駆動方法は、外部から入力された前記映像データの輝度及び色差を分離する段階と、前記色差データを遅延させる段階と、入力された輝度データ間の階調差が基準値よりも大きいと、前記輝度データ間の階調差が増加された変調輝度データを生成する段階と、前記色差データと前記変調輝度データを用いて、変換された映像データを生成する段階と、を含むことを特徴とする。
【発明の効果】
【００１２】
本発明による液晶表示装置は、入力された基準値によって映像データの隣接画素間階調差を分析し、分析された映像データの階調差を、入力されたオフセットだけ加減算して増加させることができる。
したがって、本発明による液晶表示装置は、入力される映像データに対応して輝度を強調し、映像の鮮明度を向上させることができる。
すなわち、細密に表現されるべき写真映像や動画像の文字が現れる部分の映像データに対応してその輝度を強調して表現できるため、文字の可読性を向上させることが可能になる。
【発明を実施するための最良の形態】
【００１３】
以下、本発明に係る液晶表示装置及びその駆動方法の好適な実施例について、添付の図面を参照しつつ詳細に説明する。
【００１４】
図２は、本発明の一実施例による液晶表示装置の駆動装置を示す構成図である。
図２に示すように、本発明の一実施例による液晶表示装置の駆動装置は、画素領域を定義するために互いに垂直な方向に配列されるｎ本のゲートラインＧＬ１〜ＧＬｎとｍ本のデータラインＤＬ１〜ＤＬｍを備えた液晶パネル１０２と、データラインＤＬ１〜ＤＬｍに映像データ信号を供給するデータドライバ１０４と、ゲートラインＧＬ１〜ＧＬｎにスキャンパルスを供給するゲートドライバ１０６と、外部から入力される映像データＲＧＢを変調データＭＲＧＢに変換して出力するデータ変換部１１０と、データ変換部１１０からの変調データＭＲＧＢを整列して 変調データＭＲＧＢをデータドライバ１０４に供給し、データ制御信号ＤＣＳを生成してデータドライバ１０４を制御すると同時に、ゲート制御信号ＧＣＳを生成してゲートドライバ１０６を制御するタイミングコントローラ１０８と、を備える。
【００１５】
液晶パネル１０２は、ｎ本のゲートラインＧＬ１〜ＧＬｎとｍ本のデータラインＤＬ１〜ＤＬｍによって定義される各画素領域に形成された薄膜トランジスタＴＦＴと、薄膜トランジスタＴＦＴに接続して液晶分子を駆動する画素電極と、を備える。薄膜トランジスタＴＦＴは、ゲートラインＧＬ１〜ＧＬｎからのスキャンパルスに応答して、データラインＤＬ１〜ＤＬｍからのデータ信号を画素電極に供給する。この画素電極は、液晶を間に置いて共通電極と対面して液晶キャパシタＣｌｃを形成し、ゲートラインＧＬ１〜ＧＬｎとオーバーラップして貯蔵キャパシタＣｓｔを形成する。液晶キャパシタＣｌｃ及び貯蔵キャパシタＣｓｔは、画素電極に印加されたデータ信号を、次のデータ信号が充電されるまで維持させる役割を担う。
【００１６】
データ変換部１１０は、外部から入力される映像データＲＧＢから輝度データを抽出し、外部から入力された基準値ＲｅｆとオフセットＯｆｆｓｅｔを用いて、抽出された輝度データの階調を変化させることによって変調データＭＲＧＢを生成し、これをタイミングコントローラ１０８に供給する。
【００１７】
タイミングコントローラ１０８は、データ変換部１１０から供給される変調データＭＲＧＢを、液晶パネル１０２の駆動に合うように整列してデータドライバ１０４に供給する。また、タイミングコントローラ１０８は、外部から入力されるメインクロックＭＣＬＫ、データインイネーブル信号ＤＥ、水平及び垂直同期信号Ｈｓｙｎｃ、Ｖｓｙｎｃを用いて、データ制御信号ＤＣＳとゲート制御信号ＧＣＳを生成し、これらの信号によってデータドライバ１０４とゲートドライバ１０６のそれぞれの駆動タイミングを制御する。
【００１８】
ゲートドライバ１０６は、タイミングコントローラ１０８からのゲート制御信号ＧＣＳのうち、ゲートスタートパルスＧＳＰとゲートシフトクロックＧＳＣに応答してスキャンパルス、すなわち、ゲートハイパルスを順次に発生するシフトレジスタを備える。このスキャンパルスに応答して薄膜トランジスタＴＦＴはターンオンされる。
【００１９】
データドライバ１０４は、タイミングコントローラ１０８から供給されるデータ制御信号ＤＣＳによって、タイミングコントローラ１０８からの整列された変調データＭＤａｔａをアナログ信号である映像データ信号に変換し、ゲートラインＧＬ１〜ＧＬｎにスキャンパルスが供給される１水平周期ごとに１水平ライン分の映像データ信号を、データラインＤＬ１〜ＤＬｍに供給する。すなわち、データドライバ１０４は、整列された変調データＭＤａｔａの階調値によって、所定レベルを持つガンマ電圧を選択し、選択されたガンマ電圧をデータラインＤＬ１〜ＤＬｍに供給する。
【００２０】
図３は、図２に示すデータ変換部１１０をより具体的に示す構成図である。
図３に示すように、データ変換部１１０は、 入力された映像データＲＧＢから輝度データＹ及び色差データＵＶを分離する輝度／色差分離部１３１と、輝度／色差分離部１３１で分離された色差データＵＶを遅延させる遅延部１３２と、輝度／色差分離部１３１から受信した 第１及び第２輝度データＹPn, YPn+1間の階調差を、外部から入力された基準値ＲｅｆとオフセットＯｆｆｓｅｔを用いて増加させる階調変換部１３３と、遅延された色差データＤＵＶ、及び変換されたそれぞれの輝度データＹ‘Ｐｎ，Ｙ’Ｐｎ＋１をミキシングして変調映像データＭＲＧＢを生成するミキシング部１３４と、を備えて構成される。
【００２１】
このようなデータ変換部１１０は、外部から入力された映像データＲＧＢの１水平ライン情報から少なくとも１以上の画素データを受けてその階調差を分析することができる。
【００２２】
輝度／色差分離部１３１では、入力された映像データＲＧＢから輝度データＹ及び色差データＵＶを分離する。ここで、輝度データＹ及び色差データＵＶは、下記の数１乃至３に示した数学式よって求められる。
［数１］
Ｙ＝０．２９９×Ｒ＋０．５８７×Ｇ＋０．１１４×Ｂ
［数２］
Ｕ＝０．４９３×（Ｂ−Ｙ）
［数３］
Ｖ＝０．８８７×（Ｒ−Ｙ）
【００２３】
輝度／色差分離部１３１は、数１乃至３によって映像データＲＧＢから分離された輝度データＹを、階調変換部１３３に供給すると共に、分離された色差データＵＶは遅延部１３２に供給する。
【００２４】
階調変換部１３３は、現在入力された１水平ライン分のデータのうち、２画素分の第１輝度データＹＰｎと、次に入力される１水平ライン分のデータのうち、２画素分の第２輝度データＹＰｎ＋１との階調差を、外部から入力された基準値Ｒｅｆと比較する。
ここで、第１輝度データＹＰｎと第２輝度データＹＰｎ＋１は、１水平ライン分とすることもでき、１水平ライン分のデータのうち、１あるいは２及び４個の画素に対する輝度データを使用することができる。
【００２５】
第１輝度データＹＰｎと第２輝度データＹＰｎ＋１との間の階調差と、基準値Ｒｅｆとの比較結果によって隣接画素間の階調差を分析することによって、第１輝度データＹＰｎと第２輝度データＹＰｎ＋１へオフセットＯｆｆｓｅｔを加減するか否かを判断する。具体的には、第１輝度データＹＰｎと第２輝度データＹＰｎ＋１間の階調差が、基準値Ｒｅｆよりも小さい場合には、隣接画素間の階調差が小さいと判断し、第１輝度データＹＰｎと第２輝度データＹＰｎ＋１との間の階調差が、基準値Ｒｅｆよりも大きい場合には、隣接画素間の階調差が大きいと判断する。そして、その階調差が大きいと判断された場合には、第１輝度データＹＰｎと第２輝度データＹＰｎ＋１にオフセットＯｆｆｓｅｔを加減算することによって、第１輝度データＹＰｎと第２輝度データＹＰｎ＋１との間の階調差を増加させる。
【００２６】
このような方法を具現するための階調変換部の具体的な構成及び動作は、後述される。
【００２７】
遅延部１３２は、階調変換部１３３で輝度データＹを変換する間に色差データＵＶを遅延させ、遅れた色差データＤＵＶを生成する。遅延部１３２は、変調された第１輝度データＹ’Ｐｎ及び第２輝度データＹ'Ｐｎ＋１と同期するように遅延された色差データＤＵＶを、ミキシング部１３４に供給する。
【００２８】
ミキシング部１３４では、変調された第１輝度データＹ'Ｐｎと第２輝度データＹ'Ｐｎ＋１、及び遅れた色差データＤＵＶを用いて変調データＭＲＧＢを生成する。この時、変調データＭＲＧＢは、次の数４乃至６に示した数学式によって求められる。
［数４］
ＭＲ＝Ｙ’＋０．０００×ＤＵ＋１．１４０×ＤＶ
［数５］
ＭＧ＝Ｙ’−０．３９６×ＤＵ−０．５８１×ＤＶ
［数６］
ＭＢ＝Ｙ’＋２．０２９×ＤＵ＋０．０００×ＤＶ
【００２９】
図４は、図３に示す階調変換部１３３をより具体的に示す構成図である。
図４に示すように、階調変換部１３３は、図３の輝度／色差分離部１３１から分離された輝度データＹを遅延させて第１輝度データＹＰｎを出力する輝度遅延部１４１と、第１輝度データＹＰｎと第２輝度データＹＰｎ＋１の階調差を基準値Ｒｅｆと比較し、その結果に基づく第１選択信号ＣＳ１を出力する第１比較部１４２と、第１選択信号ＣＳ１によって第1輝度データＹＰｎの出力位置を決める第１選択部１４３と、第１選択信号ＣＳ１によって第2輝度データＹＰｎ+1の出力位置を決める第２選択部１４４と、第１選択部１４３と第２選択部１４４から受信した第１輝度データＹＰｎと第２輝度データＹＰｎ＋１の階調大きさを比較し、その結果に基づいて第２選択信号ＣＳ２を出力する第２比較部１４５と、第２選択信号ＣＳ２によって、第１輝度データＹＰｎ及び第２輝度データＹＰｎ＋１にオフセットＯｆｆｓｅｔを加減算する加減算部１４６と、で構成される。
【００３０】
図５は、図４に示す階調変換部１３３の駆動方法を説明するためのフローチャートである。
図５を参照して、図４に示す階調変換部１３３の駆動方法について説明すると、以下の通りである。
【００３１】
輝度遅延部１４１で遅延された第１輝度データＹＰｎは輝度／色差分離部１３１から先に入力された 輝度データである。そして、第１輝度データＹＰｎは、次に入力された第２輝度データＹＰｎ＋１と同期して第１比較部１４２に転送される。このときに、第１比較部１４２は、基準値Ｒｅｆと第１輝度データＹＰｎ及び第２輝度データＹＰｎ＋１との間の階調差とを比較する。すなわち、第１比較部１４２は、次の数７に示した条件を有する。
［数７］
（ＹＰｎ−（ＹＰｎ＋１））＜基準値（Ｒｅｆ）
【００３２】
第１比較部１４２では、上記数７に示した条件を満足する場合、すなわち、第１輝度データＹＰｎと第２輝度データＹＰｎ＋１との間の階調差が、基準値Ｒｅｆよりも小さい場合には、第１論理状態の第１選択信号ＣＳ１を第１選択部１４３と第２選択部１４４に転送する。
【００３３】
第１選択部１４３は、第１論理状態の第１選択信号ＣＳ１に応じて第１輝度データＹＰｎをミキシング部１３４に転送し、また、第２選択部１４４も、第２輝度データＹＰｎ＋１をミキシング部１３４に転送する。
【００３４】
また、第１比較部１４２では、上記数７に示した条件を満足しない場合、すなわち、第１輝度データＹＰｎと第２輝度データＹＰｎ＋１との間の階調差が、基準値Ｒｅｆよりも大きい場合には、第２論理状態の第１選択信号ＣＳ１を第１選択部１４３と第２選択部１４４に転送する。
この場合、第１選択部１４３は、第２論理状態の第１選択信号ＣＳ１に応じて、第１輝度データＹＰｎを第２比較部１４５に転送し、また、第２選択部１４４も、第２輝度データＹＰｎ＋１を第２比較部１４５に転送する。
【００３５】
第２比較部１４５は、第１輝度データＹＰｎと第２輝度データＹＰｎ＋１をそれぞれ受信し、その階調大きさを比較する。すなわち、第２比較部１４５は、次の数８に示した条件を有する。
［数８］
ＹＰｎ＞ＹＰｎ＋１
【００３６】
第２比較部１４５は、数８に示した条件を満足する場合、すなわち、第１輝度データＹＰｎの階調が第２輝度データＹＰｎ＋１の階調よりも大きいと判断される場合には、第１論理状態の第２選択信号ＣＳ２を加減算部１４６に転送する。
【００３７】
加減算部１４６は、第１論理状態の第２選択信号ＣＳ２によって、オフセットＯｆｆｓｅｔを第１輝度データＹＰｎの階調に加算する。そして、第２輝度データＹＰｎ＋１の階調に対してはオフセットＯｆｆｓｅｔを減算する。
【００３８】
また、第２比較部１４５は、数８に示した条件に満足しない場合、すなわち、第１輝度データＹＰｎの階調が第２輝度データＹＰｎ＋１の階調よりも小さい場合には、第２論理状態の第２選択信号ＣＳ２を加減算部１４６に転送する。
【００３９】
加減算部１４６は、第２論理状態の第２選択信号ＣＳ２によって、オフセットＯｆｆｓｅｔを第１輝度データＹＰｎの階調から減算する。そして、第２輝度データＹＰｎ＋１の階調にオフセットＯｆｆｓｅｔを加算する。
その後、加減算部１４６は、変換された第１輝度データＹ'Ｐｎと第２輝度データＹ'Ｐｎ＋１を、ミキシング部１３４に転送する。
【００４０】
ミキシング部１３４では、変換された第１輝度データＹ'Ｐｎと第２輝度データＹ'Ｐｎ＋１、及び遅れた色差データＤＵＶを用いて、上記数４、数５及び数６に示した式によって変調データＭＲＧＢを生成する。
【００４１】
上述したような本発明の一実施例による液晶表示装置の駆動方法は、データ変調部１１０に基準値ＲｅｆとオフセットＯｆｆｓｅｔをそれぞれ入力し、映像データＲＧＢの輝度データＹによる階調差を、基準値Ｒｅｆを用いて分析し、この分析された結果に基づき、オフセットＯｆｆｓｅｔを用いて隣接画素間の階調差を増加させることができる。
【００４２】
本発明の一実施例による映像データ変調方法は、上述した液晶表示装置を含め、電界放出表示装置、プラズマ表示パネル及び発光表示装置等様々な平板表示装置にも応用可能である。
【００４３】
以上で説明してきた本発明は、上記の実施例及び添付の図面に限定されるものでなく、本発明の技術的思想を逸脱しない範囲内で種々の置換、変形及び変更が可能であることは、本発明の属する技術分野における通常の知識を持つ者にとっては明白である。
【図面の簡単な説明】
【００４４】
【図１】従来の液晶表示装置の駆動装置を示す構成図である。
【図２】本発明の実施例による液晶表示装置の駆動装置を示す構成図である。
【図３】図２に示すデータ変換部をより具体的に示す構成図である。
【図４】図３に示す階調変換部をより具体的に示す構成図である。
【図５】図４に示す階調変換部の駆動方法を説明するためのフローチャートである。
【図１】
0005280627.tif 000002
【図２】
0005280627.tif 000003
【図３】
0005280627.tif 000004
【図４】
0005280627.tif 000005
【図５】
0005280627.tif 000006